【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
操作体（Ｆ）による入力操作に伴った静電容量の変化を検出する複数の並列された静電スイッチ（３０）と、
前記静電スイッチによって検出された静電容量（Ｃ）が閾値（Ｔｈ）を超えたことに基づいて、前記操作体による入力操作の有り判定を行う判定手段（５２）と、
前記判定手段によって入力操作が有ると判定された後の所定時間（ＴＡ）において、前記判定手段にて用いられる前記閾値を、通常値としての第一閾値（Ｔｍｉｎ）から当該第一閾値以上の値である第二閾値（Ｔａｊ）に変更する閾値変更手段（５３）と、を備え、
前記静電スイッチには、接続された機器（ＡＣ）の設定値を調整する入力操作及び当該機器の動作モードを変更する入力操作が行われ、
前記判定手段は、複数の前記静電スイッチのそれぞれに対し、入力操作の有り判定を行うための前記閾値を個別に保持し、
前記閾値変更手段は、
複数の前記静電スイッチの一つである特定静電スイッチに入力操作が有ると判定された場合に、前記所定時間において、当該特定静電スイッチに対し保持される前記閾値を前記第一閾値から前記第二閾値に変更し、且つ、前記特定静電スイッチとは異なる他の非特定静電スイッチに対し保持される前記閾値を前記第一閾値から前記第二閾値に変更し、
前記設定値を調整する調整機能又は前記動作モードを複数のうちで順に切り替える循環切替機能が前記特定静電スイッチに割り当てられていた場合に、当該特定静電スイッチの前記第二閾値を前記非特定静電スイッチの前記第二閾値よりも低い値に設定することを特徴とする電子機器。
【請求項２】
前記閾値変更手段は、
前記静電スイッチによって検出された静電容量のピーク値（Ｃｐ）に予め規定された第一係数（ａｉ）を乗算した値を前記特定静電スイッチの前記第二閾値として設定し、
予め規定された第二係数（ａｊ）を前記ピーク値に乗算した値を前記非特定静電スイッチの前記第二閾値として設定し、
前記第一係数及び前記第二係数は共に、０よりも大きく且つ１未満の値であり、
前記第一係数は、前記第二係数よりも小さい値であることを特徴とする請求項１に記載の電子機器。
【請求項３】
前記閾値変更手段は、前記動作モードを二つのうちで切り替える単純切替機能が前記特定静電スイッチに割り当てられている場合に、当該特定静電スイッチ及び前記非特定静電スイッチの各前記第二閾値を同じ値に設定することを特徴とする請求項１又は２に記載の電子機器。
【請求項４】
前記閾値変更手段は、０よりも大きく且つ１未満である係数（ａｊ）を前記静電スイッチによって検出された静電容量のピーク値（Ｃｐ）に乗算した値を、前記特定静電スイッチ及び前記非特定静電スイッチの各前記第二閾値として設定することを特徴とする請求項３に記載の電子機器。
【請求項５】
前記閾値変更手段は、
複数の前記静電スイッチのうちで、機能的に関連した二つを関連静電スイッチとして関連付け、
二つの前記関連静電スイッチの一方に入力操作があると判定された場合に、二つの前記関連静電スイッチの各前記第二閾値を、前記関連静電スイッチとは異なる他の非関連静電スイッチの前記第二閾値よりも低い値に設定することを特徴とする請求項１〜４のいずれか一項に記載の電子機器。
【請求項６】
操作体（Ｆ）による入力操作に伴った静電容量の変化を検出する複数の並列された静電スイッチ（３０）と、
前記静電スイッチによって検出された静電容量（Ｃ）が閾値（Ｔｈ）を超えたことに基づいて、前記操作体による入力操作の有り判定を行う判定手段（５２）と、
前記判定手段によって入力操作が有ると判定された後の所定時間（ＴＡ）において、前記判定手段にて用いられる前記閾値を、通常値としての第一閾値（Ｔｍｉｎ）から当該第一閾値以上の値である第二閾値（Ｔａｊ）に変更する閾値変更手段（５３）と、を備え、
前記判定手段は、複数の前記静電スイッチのそれぞれに対し、入力操作の有り判定を行うための前記閾値を個別に保持し、
閾値変更手段は、
複数の前記静電スイッチのうちで、機能的に関連した二つを関連静電スイッチとして関連付け、
二つの前記関連静電スイッチの一方に入力操作があると判定された場合に、二つの前記関連静電スイッチの各前記第二閾値を、前記関連静電スイッチとは異なる他の非関連静電スイッチの前記第二閾値よりも低い値に設定することを特徴とする電子機器。
【請求項７】
前記閾値変更手段は、
前記静電スイッチによって検出された静電容量のピーク値（Ｃｐ）に予め規定された第一係数（ａｉ）を乗算した値を二つの前記関連静電スイッチの前記第二閾値として設定し、
予め規定された第二係数（ａｊ）を前記ピーク値に乗算した値を前記非関連静電スイッチの前記第二閾値として設定し、
前記第一係数及び前記第二係数は共に、０よりも大きく且つ１未満の値であり、
前記第一係数は、前記第二係数よりも小さい値であることを特徴とする請求項５又は６に記載の電子機器。
【請求項８】
前記閾値変更手段は、複数の前記静電スイッチの一つである特定静電スイッチに入力操作が有ると判定された場合に、当該特定静電スイッチに隣接する隣接静電スイッチの前記第二閾値を、前記特定静電スイッチの前記第二閾値よりも高い値に設定することを特徴とする請求項１〜７のいずれか一項に記載の電子機器。
【請求項９】
操作体（Ｆ）による入力操作に伴った静電容量の変化を検出する複数の並列された静電スイッチ（３０）と、
前記静電スイッチによって検出された静電容量（Ｃ）が閾値（Ｔｈ）を超えたことに基づいて、前記操作体による入力操作の有り判定を行う判定手段（５２）と、
前記判定手段によって入力操作が有ると判定された後の所定時間（ＴＡ）において、前記判定手段にて用いられる前記閾値を、通常値としての第一閾値（Ｔｍｉｎ）から当該第一閾値以上の値である第二閾値（Ｔａｊ）に変更する閾値変更手段（５３）と、を備え、
前記判定手段は、複数の前記静電スイッチのそれぞれに対し、入力操作の有り判定を行うための前記閾値を個別に保持し、
前記閾値変更手段は、複数の前記静電スイッチの一つである特定静電スイッチに入力操作が有ると判定された場合に、当該特定静電スイッチに隣接する隣接静電スイッチの前記第二閾値を、前記特定静電スイッチの前記第二閾値よりも高い値に設定することを特徴とする電子機器。
【請求項１０】
前記閾値変更手段は、
前記静電スイッチによって検出された静電容量のピーク値（Ｃｐ）に予め規定された第一係数（ａｉ）を乗算した値を前記特定静電スイッチの前記第二閾値として設定し、
予め規定された第二係数（ａｊ）を前記ピーク値に乗算した値を前記隣接静電スイッチの前記第二閾値として設定し、
前記第一係数及び前記第二係数は共に、０よりも大きく且つ１未満の値であり、
前記第一係数は、前記第二係数よりも小さい値であることを特徴とする請求項８又は９に記載の電子機器。
【請求項１１】
前記閾値変更手段は、前記静電スイッチによって検出された静電容量のピーク値（Ｃｐ）よりも低い範囲で前記第二閾値を設定することを特徴とする請求項１〜１０のいずれか一項に記載の電子機器。
【請求項１２】
前記閾値変更手段は、予め規定された係数を前記ピーク値に乗算した値を前記第二閾値として設定することを特徴とする請求項１１に記載の電子機器。
【請求項１３】
前記閾値変更手段は、前記係数と前記ピーク値との積が前記第一閾値よりも小さい場合、前記第二閾値を前記第一閾値と同じ値に設定することを特徴とする請求項１２に記載の電子機器。
【手続補正２】
【補正対象書類名】明細書
【補正対象項目名】０００９
【補正方法】変更
【補正の内容】
【０００９】
上記目的を達成するため、開示された一つの発明は、操作体（Ｆ）による入力操作に伴った静電容量（Ｃ）の変化を検出する静電スイッチ（３０）と、静電スイッチによって検出された静電容量が閾値（Ｔｈ）を超えたことに基づいて、操作体による入力操作の有り判定を行う判定手段（５２）と、判定手段によって入力操作が有ると判定された後の所定時間（ＴＡ）において、判定手段にて用いられる閾値を、通常値としての第一閾値（Ｔｍｉｎ）から当該第一閾値以上の値である第二閾値（Ｔａｊ）に変更する閾値変更手段（５３）と、を備え、静電スイッチには、接続された機器（ＡＣ）の設定値を調整する入力操作及び当該機器の動作モードを変更する入力操作が行われ、判定手段は、複数の静電スイッチのそれぞれに対し、入力操作の有り判定を行うための閾値を個別に保持し、閾値変更手段は、複数の静電スイッチの一つである特定静電スイッチに入力操作が有ると判定された場合に、所定時間において、当該特定静電スイッチに対し保持される閾値を第一閾値から第二閾値に変更し、且つ、特定静電スイッチとは異なる他の非特定静電スイッチに対し保持される閾値を第一閾値から第二閾値に変更し、設定値を調整する調整機能又は動作モードを複数のうちで順に切り替える循環切替機能が特定静電スイッチに割り当てられていた場合に、当該特定静電スイッチの第二閾値を非特定静電スイッチの第二閾値よりも低い値に設定することを特徴とする電子機器とする。
また、他の一つの発明は、操作体（Ｆ）による入力操作に伴った静電容量の変化を検出する複数の並列された静電スイッチ（３０）と、静電スイッチによって検出された静電容量（Ｃ）が閾値（Ｔｈ）を超えたことに基づいて、操作体による入力操作の有り判定を行う判定手段（５２）と、判定手段によって入力操作が有ると判定された後の所定時間（ＴＡ）において、判定手段にて用いられる閾値を、通常値としての第一閾値（Ｔｍｉｎ）から当該第一閾値以上の値である第二閾値（Ｔａｊ）に変更する閾値変更手段（５３）と、を備え、判定手段は、複数の静電スイッチのそれぞれに対し、入力操作の有り判定を行うための閾値を個別に保持し、閾値変更手段は、複数の静電スイッチのうちで、機能的に関連した二つを関連静電スイッチとして関連付け、二つの関連静電スイッチの一方に入力操作があると判定された場合に、二つの関連静電スイッチの各第二閾値を、関連静電スイッチとは異なる他の非関連静電スイッチの第二閾値よりも低い値に設定することを特徴とする電子機器とする。
また、他の一つの発明は、操作体（Ｆ）による入力操作に伴った静電容量の変化を検出する複数の並列された静電スイッチ（３０）と、静電スイッチによって検出された静電容量（Ｃ）が閾値（Ｔｈ）を超えたことに基づいて、操作体による入力操作の有り判定を行う判定手段（５２）と、判定手段によって入力操作が有ると判定された後の所定時間（ＴＡ）において、判定手段にて用いられる閾値を、通常値としての第一閾値（Ｔｍｉｎ）から当該第一閾値以上の値である第二閾値（Ｔａｊ）に変更する閾値変更手段（５３）と、を備え、判定手段は、複数の静電スイッチのそれぞれに対し、入力操作の有り判定を行うための閾値を個別に保持し、閾値変更手段は、複数の静電スイッチの一つである特定静電スイッチに入力操作が有ると判定された場合に、当該特定静電スイッチに隣接する隣接静電スイッチの第二閾値を、特定静電スイッチの第二閾値よりも高い値に設定することを特徴とする電子機器とする。
【手続補正３】
【補正対象書類名】明細書
【補正対象項目名】００１０
【補正方法】変更
【補正の内容】
【００１０】
これらの発明では、通常値として判定に用いられる第一閾値を低く設定することにより、入力操作の実施前における静電スイッチの感度が高くなる。故に、手袋を装着した状態の手指が操作体として入力操作を行った場合でも、この操作体による入力操作は、静電スイッチによって検知可能となる。